(57)【要約】　　　（修正有）【課題】インデックスの位置を自由に変更でき、インデックス自体が自立性を有し、手指に対しても安全な構造のインデックス付書類フォルダを提供する。【解決手段】前表紙Ｓ１、背表紙Ｓ２、上フラップＳ３を含む長方形シートを、同一方向へ折り曲げて折り線１、２を形成し、上フラップの面内で、折り線２から狭い幅を隔てて反対方向へ折り曲げて折り線４を形成し、さらに同一の狭い幅を隔てて同一方向へ折り曲げ、かくして生じる３本の折り線２、４、５が占める帯状部に、長方形シートの短手方向を所望の数に分割する位置に各折り線と直交する切れ目８を設け、シート端部と切れ目又は隣り合う切れ目の間に挟まれた任意の部分の折り返しを反転させ、横方向のインデックスとする。さらに、背表紙から横方向に横フラップを張り出し、この面内に、上フラップと同様の折り線を設け、帯状部に、横インデックスと直交する縦方向のインデックスを設けても良い。【選択図】　　　　図３
2004025513.tif 000002
【特許請求の範囲】
【請求項１】
長方形シートの長手方向全長を（１±ｍ）：１：ｎ（ただし、ｍは０以上１未満の数、ｎは０でない１未満の数）の割合に按分し、シート端部からの長さの割合がそれぞれ（１±ｍ）及び（２±ｍ）に相当する位置で当該シートを同一方向へ折り曲げて折り線を形成し、
前記（２±ｍ）の位置における折り線により区画される長さ割合ｎに相当する部分において、当該部分を区画する前記折り線から所定の狭い幅を隔てて前記シートを一旦前記折り曲げ方向とは反対方向へ折り曲げ、さらに同一の狭い幅を隔てて再び前記折り曲げ方向と同一方向へ折り曲げてそれぞれ折り線を形成し、
かくして生じる３本の隣接する折り線が占める帯状部分内において、前記長方形シートの短手方向長さを所望の数に分割する位置に各折り線と直交する切れ目を設け、
シート端部と切れ目又は隣り合う切れ目の間に挟まれた任意の部分の折り返しを反転させることにより、当該反転させた部分を横方向のインデックスとして使うようにした、インデックス付書類フォルダ。
【請求項２】
前記長方形シート上の、シート端部からの長さの割合が（１±ｍ）及び（２±ｍ）に相当する前記折り線に挟まれる位置に、長さ及び幅がそれぞれ前記長さ割合として０でなくかつ１未満である別シートを、前記長方形シートの左右いずれかの端部縁線から外部へ直角に張り出すように設け、
前記別シートを、前記端部縁線の位置において、前記シート端部からの長さ割合が（１±ｍ）の位置における折り曲げ方向と同一方向へ折り曲げ、次いで当該折り曲げによる折り線から前記所定の狭い幅と同一幅を隔てた位置において前記折り曲げ方向とは反対方向へ折り曲げ、さらに同一の狭い幅を隔てて前記折り曲げ方向と同一方向へ折り曲げてそれぞれ折り線を形成し、
かくして生じる３本の隣接する折り線が占める帯状部分内において、前記別シートの、前記端部縁線に沿う方向の長さを所望の数に分割する位置に、各折り線と直交する切れ目を設け、
前記別シートの端部と切れ目又は隣り合う切れ目の間に挟まれた任意の部分の折り返しを反転させることにより、当該反転させた部分を縦方向のインデックスとして使うようにした、請求項１記載のインデックス付書類フォルダ。
【請求項３】
長方形シートの長手方向全長を（１±ｍ）：１：ｎ（ただし、ｍ及びｎは０以上１未満の数）の割合に按分し、シート端部からの長さの割合がそれぞれ（１±ｍ）及び（２±ｍ）に相当する位置で当該シートを同一方向へ折り曲げて折り線を形成し、
前記長方形シート上の、シート端部からの長さの割合が（１±ｍ）及び（２±ｍ）に相当する前記折り線に挟まれる位置に、長さ及び幅がそれぞれ前記長さ割合として０でなくかつ１未満である別シートを、前記長方形シートの左右いずれかの端部縁線から外部へ直角に張り出すように設け、
前記別シートを、前記端部縁線の位置において、前記シート端部からの長さ割合が（１±ｍ）の位置における折り曲げ方向と同一方向へ折り曲げ、次いで当該折り線から所定の狭い幅を隔てた位置において前記折り曲げ方向とは反対方向へ折り曲げ、さらに同一の狭い幅を隔てて前記折り曲げ方向と同一方向へ折り曲げてそれぞれ折り線を形成し、
かくして生じる３本の隣接する折り線が占める帯状部分内において、前記別シートの、前記端部縁線に沿う方向の長さを所望の数に分割する位置に、各折り線と直交する切れ目を設け、
前記別シートの端部と切れ目又は隣り合う切れ目の間に挟まれた任意の部分の折り返しを反転させることにより、当該反転させた部分を縦方向のインデックスとして使うようにした、インデックス付書類フォルダ。
【請求項４】
前記長方形シート上の、シート端部からの長さ割合が（１±ｍ）に相当する位置における前記折り線から、シート端部方向へ前記所定の狭い幅と同一幅又はその２倍の幅を隔てた位置において、前記長方形シートを、前記折り線の折り曲げ方向と同一方向へ折り曲げることを特徴とする請求項１乃至３記載のインデックス付書類フォルダ。
【請求項５】
前記切れ目に代えてミシン目を設けることを特徴とする請求項１乃至４記載のインデックス付書類フォルダ。
【発明の詳細な説明】
【０００１】
【発明の属する技術分野】
本発明は、書類等を収納して整理・保管するための、インデックス付書類フォルダに関する。
【０００２】
【従来の技術】
フォルダに収納されている書類等を識別するためにインデックスが設けられるが、従来のフォルダでは、インデックスの位置が固定されていて変更できない、そのため複数のインデックスが重なって見づらい場合がある、インデックス部分が傷み易い、インデックスの色を容易に変更できず、そのためには色ラベルを貼る必要がある等の問題があった。
【０００３】
本願に先行して、これら従来の書類フォルダの問題点のあれこれを改良するためになされた、幾つかの特許出願や実用新案（の出願）が存在する。例えば、特開平０５−１８５７８９（発明の名称「インデックス付ファイル」）、特開昭６２−２６８６９５（見出しホルダ）、実開昭５７−４１７７７（クリアホルダー）、実開昭６１−１８１７７５（蓋つきホルダー）、実開平０３−４５１８０（ホルダー、ファイル、又はバインダー）、実用登録３０５４７９９（書類フォルダー）、実用登録３０８０７５４（シートホルダ）等々である。
【０００４】
しかしながら全ての問題点を解消し得ているものは見当たらないし、逆に新たな問題点を呼び込んだものもある。例えば特開平０５−１８５７８９、実開平０３−４５１８０、及び実用登録３０８０７５４では、曲げられていた部分を単純に伸ばすことによりインデックスとする構造を提案しているが、インデックスの直立を維持することが容易でないという新たな問題点を生じた。
【０００５】
また、特開昭６２−２６８６９５、実開昭５７−４１７７７及び実開昭６１−１８１７７５では、インデックスの出し入れが可能な構造を提案しているが、その位置が変更可能になっていないため、ファイルの検索に関しては従来の問題点が解決されていない。実用登録３０５４７９９では、突出したインデックス部分を欠くためファイルの検索が行いにくい。
【０００６】
その他、インデックス部分が傷みやすいという問題点を放置したままの提案や、インデックス部分が手指を傷つけるおそれのある提案、あるいは書類の出し入れが不便そうに思える提案も見受けられる。
【０００７】
【発明が解決しようとする課題】
本願発明の目的は、インデックスの位置を自由に変更することができ、しかもインデックス自体が安定した自立性を有し、また手指に対しても安全であるような、新たな構造のインデックス付書類フォルダを提供することにある。
【０００８】
【課題を解決する手段】
上記課題を解決するために、本願発明は以下の構成を有する。
【０００９】
本願請求項１の発明は、長方形シートの長手方向全長を（１±ｍ）：１：ｎ（ただし、ｍは０以上１未満の数、ｎは０でない１未満の数）の割合に按分し、シート端部からの長さの割合がそれぞれ（１±ｍ）及び（２±ｍ）に相当する位置で当該シートを同一方向へ折り曲げて折り線を形成し、前記（２±ｍ）の位置における折り線により区画される長さ割合ｎに相当する部分において、当該部分を区画する前記折り線から所定の狭い幅を隔てて前記長方形シートを一旦前記折り曲げ方向とは反対方向へ折り曲げ、さらに同一の狭い幅を隔てて再び前記折り曲げ方向と同一方向へ折り曲げてそれぞれ折り線を形成し、かくして生じる３本の隣接する折り線が占める帯状部分内において、前記長方形シートの短手方向長さを所望の数に分割する位置に各折り線と直交する切れ目を設け、シート端部と切れ目又は隣り合う切れ目の間に挟まれた任意の部分の折り返しを反転させることにより、当該反転させた部分を横方向のインデックスとして使うようにしたインデックス付書類フォルダに関する。
【００１０】
添付の図１は、請求項１の発明に係るインデックス付書類フォルダの展開図である。このフォルダの基本構造は、長方形シートの長手方向全長を（１±ｍ）：１：ｎの割合に按分し、シート端部からの長さの割合がそれぞれ（１±ｍ）及び（２±ｍ）の位置（図１における折り線１及び２）で当該シートを同一方向へ折り曲げたものである。この構造中、長さの割合が１である部分（図１におけるＳ２）はフォルダの背表紙に、（１±ｍ）の部分（同、Ｓ１）は前表紙に相当する。書類等はこれら前表紙と背表紙の間に収納される。ただし前表紙、背表紙という用語は、本発明に係る書類フォルダの材質を紙だけに限定する趣旨ではない。ここで、±ｍは前表紙の長さを長く（＋ｍ）又は短く（−ｍ）調節するための調節代である。ｍが０でない場合のその値は０．１〜０．３が好適である。
【００１１】
上記において長さ割合がｎである部分（図１におけるＳ３）は、フォルダの内容物を上から押さえる上フラップ（上蓋）になる部分である。ｎの値は０．５〜０．８が好適である。そしてこの上フラップＳ３に、その付け根の線（折り線２）に沿って、断面がＭ字状になるようにさらに２本の折り線（図１における符号４と５）を設け、これら３本の折り線がフラップＳ３の面で占める帯状部分内で、長方形シートの横幅（短手方向の長さ）を所望の数に分割するように、各折り線と直交する切れ目（同、符号８）を設ける。そして、切れ目と切れ目の間又は切れ目とシート端部の間にあるシート部分の折り返しを反転させると、その部分が断面逆Ｖ字形をなすように立ち上がる（図３参照）ので、その立ち上がった部分の側面を横方向のインデックスとして利用する。ここで「横方向」とは、インデックスの長手方向が前表紙と背表紙の間の折り線１に平行の意味である。
【００１２】
本願請求項２の発明は、請求項１記載の書類フォルダにおいて、前記長方形シート上の、シート端部からの長さの割合が（１±ｍ）及び（２±ｍ）に相当する前記折り線に挟まれる位置に、長さ及び幅がそれぞれ前記長さ割合として０でなくかつ１未満である別シートを、前記長方形シートの左右いずれかの端部縁線から外部へ直角に張り出すように設け、前記別シートを、前記端部縁線の位置において、前記シート端部からの長さ割合が（１±ｍ）の位置における折り曲げ方向と同一方向へ折り曲げ、次いで当該折り曲げ位置から前記所定の狭い幅と同一幅を隔てた位置において前記折り曲げ方向とは反対方向へ折り曲げ、さらに同一の狭い幅を隔てて前記折り曲げ方向と同一方向へ折り曲げて、それぞれ折り線を形成し、かくして生じる３本の隣接する折り線が占める帯状部分内において、前記別シートの、前記端部縁線に沿う方向の長さを所望の数に分割する位置に、各折り線と直交する切れ目を設け、前記別シートの端部と切れ目又は隣り合う切れ目の間に挟まれた任意の部分の折り返しを反転させることにより、当該反転させた部分を縦方向のインデックスとして使うようにしたインデックス付書類フォルダに関する。
【００１３】
添付の図２は請求項２の発明に係るインデックス付書類フォルダの展開図である。図１との相違点は、別シートＳ４が背表紙Ｓ２の部分に外部へ直角に張り出すように取り付けられている点である。張り出しの向きは所望により左右いずれでも良い。この別シートＳ４は、長さ及び幅とも（ただし、双方同一長さを意味しない）長さ割合で表して０を超え１未満の大きさ（実際には０．３〜０．６程度が好適）であって、フォルダの内容物を横から押さえる横フラップになる部分である。この横フラップ上に、上フラップ上の横方向インデックスの場合と同様の構造（図２における折り線３、６、７及び切れ目９）を設け、縦方向のインデックスを形成する。このように、請求項２の発明に係る書類フォルダは、縦横双方向のインデックスを備える（図４参照）。ここに「縦方向」とは、前表紙と背表紙の間の折り線に対して垂直の意味である。なお、長方形シートと別シートＳ４を別体とせず、１枚のシートから一体のものとして切り出すこともできるが、材料の無駄が多い。しかし、その方が加工工数を少なくできる可能性がある。
【００１４】
本願請求項３の発明は、長方形シートの長手方向全長を（１±ｍ）：１：ｎ（ただし、ｍ及びｎは０以上１未満の数）の割合に按分し、シート端部からの長さの割合がそれぞれ（１±ｍ）及び（２±ｍ）に相当する位置で当該シートを同一方向へ折り曲げて折り線を形成し、前記長方形シート上の、シート端部からの長さの割合が（１±ｍ）及び（２±ｍ）に相当する前記折り線に挟まれる位置に、長さ及び幅がそれぞれ前記長さ割合として０でなくかつ１未満である別シートを、前記長方形シートの左右いずれかの端部縁線から外部へ直角に張り出すように設け、前記別シートを、前記端部縁線の位置において、前記シート端部からの長さ割合が（１±ｍ）の位置における折り曲げ方向と同一方向へ折り曲げ、次いで当該折り線から所定の狭い幅を隔てた位置において前記折り曲げ方向とは反対方向へ折り曲げ、さらに同一の狭い幅を隔てて前記折り曲げ方向と同一方向へ折り曲げて、それぞれ折り線を形成し、かくして生じる３本の隣接する折り線が占める帯状部分内において、前記別シートの、前記端部縁線に沿う方向の長さを所望の数に分割する位置に、各折り線と直交する切れ目を設け、前記別シートの端部と切れ目又は隣り合う切れ目の間に挟まれた任意の部分の折り返しを反転させることにより、当該反転させた部分を縦方向のインデックスとして使用するようにしたインデックス付書類フォルダに関する。
【００１５】
添付の図５は、請求項３の発明に係るインデックス付書類フォルダを示す斜視図である。この書類フォルダは縦方向のインデックスのみを有する。上フラップＳ３は有る場合と無い場合がある（数値ｎが０の場合が含まれる。図５はｎ＝０の場合）。上フラップＳ３の有無に拘わらず横方向のインデックスは設けられない。
【００１６】
【発明の実施の形態】
（第１実施形態）
本実施形態は、前表紙の面内に中間的な折り線を設けるものである。その折り線は、前表紙と背表紙の間の折り線から前表紙上端に向かって一定の狭い幅又はその２倍の幅を隔てて設けられる（図４中の折り線１０を参照）。このような中間的な折り線を設けることにより書類等の厚さが厚い場合にも楽に収納することができる。なお図４は折り線１０を設けた場合を例示するが、これを設けない場合もある。
【００１７】
（第２実施形態）
本実施形態は、請求項１〜３におけるインデックス部分の切れ目に代えてミシン目を設けるものである（図示省略）。ミシン目を切り離せば切れ目になる。ミシン目を設ける間隔は応用上考えうる最小のインデックス長さに一致させておく。これにより、所望の位置でミシン目を切り離すことにより、ほぼ所望の長さのインデックスを得ることができる。
【００１８】
（第３実施形態）
本実施形態は、本発明に係るインデックス付書類フォルダの材質に関する。すなわち、この書類フォルダは、厚紙製以外にも、可撓性を有する硬質プラスチック・シート製であっても良い。
【００１９】
【発明の効果】
請求項１の発明による書類フォルダは、前表紙と背表紙の境目の折り曲げ線に平行な複数個の横方向インデックスを備える。これらを予め色分けしておくことにより収納物の検索が容易になる。これら複数個のインデックスの相対的位置を自由に変更して使い分けることができる。また各インデックスは１枚のシートを折り曲げることで形成されるので、安定した自立性を有ししかもシートの切断面を露出しないので手指に対して安全性が高い。従来製品と製造コストが殆ど同じであり外観も従来品と大差がないので従来品と違和感なく混用できる。
【００２０】
請求項２の発明による書類フォルダは、上記請求項１の発明における下向きのフラップ及び横方向インデックスに加えて、横向きのフラップ及び縦方向のインデックスを備える。その結果、書類等は図１における折り線１、２及び３により囲まれるので、使用時の書類フォルダの姿勢を縦又は横方向にしても、書類が安定に保持される。また、横方向又は縦方向のインデックスを適宜選択使用することができる。以上のほか、請求項１の発明による書類フォルダと同様の効果を有する。
【００２１】
請求項３の発明による書類フォルダは、縦方向のインデックスのみを備える。書類フォルダを例えば机上の書類立てに立てて使用する場合、横方向のインデックスは見づらいが、縦方向のインデックスはフォルダの手前に位置してよく見えるので使い易い。以上のほか、請求項１の発明による書類フォルダと同様の効果を有する。
【００２２】
請求項４の発明による書類フォルダは、前表紙中に１本または２本の中間的な折り線を備えるので、書類等の厚さが厚い場合にも収納を楽に行うことができる。
【００２３】
請求項５の発明による書類フォルダは、請求項１〜４の発明におけるインデックス部分の切れ目に代えてミシン目を設けるので、これらのミシン目を切り離すことにより、長短に拘わらずほぼ所望の長さのインデックスを得ることができる。
【図面の簡単な説明】
【図１】請求項１の発明に係るインデックス付書類フォルダの展開図である。
【図２】請求項２の発明に係るインデックス付書類フォルダの展開図である。
【図３】請求項１又は２の発明に係るインデックス付書類フォルダを示す斜視図である。
【図４】請求項２の発明に係るインデックス付書類フォルダを示す斜視図である。
【図５】請求項３の発明に係るインデックス付書類フォルダを示す斜視図である。
【符号の説明】
１…前表紙と背表紙の間の折り線
２…背表紙と上フラップの間の折り線
３…背表紙と横フラップの間の折り線
４、５…横方向インデックス中の折り線
６、７…縦方向インデックス中の折り線
８、９…横方向及び縦方向インデックス中の切れ目又はミシン目
１０…中間的折り線
Ｓ１…前表紙
Ｓ２…背表紙
Ｓ３…上フラップ
Ｓ４…横フラップ
【図１】
2004025513.tif 000003
【図２】
2004025513.tif 000004
【図３】
2004025513.tif 000005
【図４】
2004025513.tif 000006
【図５】
2004025513.tif 000007